(57)【要約】【課題】  インジケータの表示状態の変化をユーザーが容易に確認することができるナビゲーション装置を提供する。【解決手段】  環境状態に変化が生じたときには、制御部２４によりインジケータの表示状態が変化されるとともにインジケータの位置が表示部１２の略中央の位置に移動され、かつ大きく表示される。これにより、ユーザーにインジケータを容易に確認させることができ、環境状態の変化を確実に知らせることができる。表示部１２の略中央の位置に大きく表示されたインジケータはユーザーが確認後、タッチパネル等の操作で元の表示に戻すことができる。【選択図】      図２
2007085985.tif 000002
【特許請求の範囲】
【請求項１】
地図に関する画像情報と種々の環境状態を示すインジケータを表示する表示部と、前記環境状態に変化が生じたときに前記インジケータの前記表示部における表示状態を変化させる制御部と、を有するナビゲーション装置であって、
前記環境状態に変化が生じたときには、前記制御部により前記インジケータの表示状態が変化されるとともに前記インジケータの位置が所定の位置に移動されることを特徴とするナビゲーション装置。
【請求項２】
前記環境状態に変化が生じたときには、前記制御部により前記インジケータが前記表示部の略中央の位置に移動されることを特徴とする請求項１に記載のナビゲーション装置。
【請求項３】
前記環境状態に変化が生じたときには、前記制御部により前記インジケータの表示が前記環境状態に変化が生じる前の前記インジケータの表示よりも大きく表示されることを特徴とする請求項１又は２に記載のナビゲーション装置。
【請求項４】
前記表示部は、タッチパネル構造となっており、
前記表示部に表示された前記インジケータに接触すると、前記制御部により前記インジケータが前記表示部の隅側に移動されることを特徴とする請求項１乃至３のいずれか１項に記載のナビゲーション装置。
【発明の詳細な説明】
【技術分野】
【０００１】
本発明は、様々な環境状態を示すインジケータが表示される表示部を有するナビゲーション装置に関する。
【背景技術】
【０００２】
従来のナビゲーション装置には液晶の表示部が設けられている。この表示部には、様々な環境状態を示すインジケータが表示されている。このインジケータとして、現在地の測位の精度を色で示すＧＰＳ受信表示マーク、方向を示す方向表示マーク、簡易的に右折、左折を表示する簡易右左折マーク、目的地への到着予想時刻・残距離表示を示す目的地への到着予想時刻・残距離表示マーク、自分の車の位置（現在地）と進行方向を示す自車マーク、地図のスケールを表示する縮尺スケール、ＶＩＣＳ情報を受信したＶＩＣＳ情報マーク、現在受信中の周波数を示す周波数マークなどがある。ユーザーは、これらのインジケータを見ることにより、様々な状況を確認し、判断することができる。
【特許文献１】特開平１０−２３９０８４号公報
【発明の開示】
【発明が解決しようとする課題】
【０００３】
ところで、従来のナビゲーション装置では、ナビゲーション装置の大きさに対する制約から表示部の表示面積が比較的小さくなる傾向がある。このため、ユーザーに地図を見易くさせるため、表示部に地図を大きく表示させるとともに、インジケータを表示部の隅に小さく表示するようにしている。このため、ユーザーにとってインジケータが見難くなってしまい、インジケータの表示状態が変化した場合でもユーザーが確認できないという問題があった。
【０００４】
そこで、本発明は、上記事情を考慮し、インジケータの表示状態の変化をユーザーが容易に確認することができるナビゲーション装置を提供することを目的とする。
【課題を解決するための手段】
【０００５】
請求項１に記載の発明は、地図に関する画像情報と種々の環境状態を示すインジケータを表示する表示部と、前記環境状態に変化が生じたときに前記インジケータの前記表示部における表示状態を変化させる制御部と、を有するナビゲーション装置であって、前記環境状態に変化が生じたときには、前記制御部により前記インジケータの表示状態が変化されるとともに前記インジケータの位置が所定の位置に移動されることを特徴とする。
【０００６】
請求項１に記載の発明によれば、環境状態に変化が生じたときには、制御部によりインジケータの表示状態が変化されるとともにインジケータの位置が所定の位置に移動される。これにより、ユーザーにインジケータを容易に確認させることができ、環境状態の変化を知らせることができる。
【０００７】
なお、本明細書において「インジケータ」とは、例えば、現在地の測位の精度を色で示すＧＰＳ受信表示マーク、方向を示す方向表示マーク、簡易的に右折、左折を表示する簡易右左折マーク、目的地への到着予想時刻・残距離表示を示す目的地への到着予想時刻・残距離表示マーク、地図のスケールを表示する縮尺スケール、ＶＩＣＳ情報を受信したＶＩＣＳ情報マーク、現在受信中の周波数を示す周波数マークなどの環境状態を示す所定のマークを意味する。
【０００８】
請求項２に記載の発明は、請求項１に記載のナビゲーション装置において、前記環境状態に変化が生じたときには、前記制御部により前記インジケータが前記表示部の略中央の位置に移動されることを特徴とする。
【０００９】
請求項２に記載の発明によれば、環境状態に変化が生じたときには、制御部によりインジケータが表示部の略中央の位置に移動される。これにより、略中央の位置にあるインジケータをユーザーに確実に気づかせることができ、環境状態の変化を確実に知らせることができる。
【００１０】
請求項３に記載の発明は、請求項１又は２に記載のナビゲーション装置において、前記環境状態に変化が生じたときには、前記制御部により前記インジケータの表示が前記環境状態に変化が生じる前の前記インジケータの表示よりも大きく表示されることを特徴とする。
【００１１】
請求項３に記載の発明によれば、環境状態に変化が生じたときには、制御部によりインジケータの表示が環境状態に変化が生じる前のインジケータの表示よりも大きく表示される。これにより、ユーザーにインジケータを確実に気づかせることができ、環境状態の変化を確実に知らせることができる。
【００１２】
請求項４に記載の発明は、請求項１乃至３のいずれか１項に記載のナビゲーション装置において、前記表示部は、タッチパネル構造となっており、前記表示部に表示された前記インジケータに接触すると、前記制御部により前記インジケータが前記表示部の隅側に移動されることを特徴とする。
【００１３】
請求項４に記載の発明によれば、表示部に表示されたインジケータにユーザーが接触すると、制御部によりインジケータが表示部の隅側に移動される。これにより、ユーザーは、インジケータの確認後、表示部に触れるだけで、地図に関する画像情報を表示部に大きく表示させることができる。
【発明の効果】
【００１４】
本発明によれば、インジケータの表示状態の変化をユーザーが容易に確認することができ、ひいては環境状態の変化をユーザーに確実に知らせることができる。
【発明を実施するための最良の形態】
【００１５】
本発明の一実施形態に係るナビゲーション装置について、図面を参照して説明する。
【００１６】
図１に示すように、ナビゲーション装置１０は、表示部１２と、現在位置検出部１４と、操作部１６と、地図記憶部１８と、ＲＯＭ２０と、ＲＡＭ２２と、制御部２４と、を備えている。
【００１７】
表示部１２は、所定の情報を表示するとともに、特に走行経路付近の地図を表示する。また、表示部１２には、様々な環境状態を示す複数のインジケータが表示される。各インジケータは、環境状態に変化がなければ表示部１２の隅側に比較的小さく表示されている。ここで、インジケータとして、具体的には、現在地の測位の精度を色で示すＧＰＳ受信表示マーク、方向を示す方向表示マーク、簡易的に右折、左折を表示する簡易右左折マーク、目的地への到着予想時刻・残距離表示を示す目的地への到着予想時刻・残距離表示マーク、地図のスケールを表示する縮尺スケール、ＶＩＣＳ情報を受信したＶＩＣＳ情報マーク、現在受信中の周波数を示す周波数マークなどがある。さらに、表示部１２はタッチパネル構造になっており、例えばユーザーが表示部１２の表面に触れるだけで表示部１２における表示が変化する。具体的には、表示部１２の略中央の位置に所定のインジケータが比較的大きく表示されている場合に、略中央の位置に大きく表示されたインジケータに触れることにより、そのインジケータが表示部１２の隅側に比較的小さく表示される。
【００１８】
現在位置検出部１４は、いわゆるＧＰＳ機能を有しており、複数のＧＰＳ衛星からの電波を受信し、現在位置の算出に用いたＧＰＳ衛星の配置から現在位置の精度を算出し、現在位置の情報と共に現在位置の精度を制御部２４に出力する。なお、現在位置の算出には４個以上のＧＰＳ衛生を受信すれば緯度、経度に加え高さをも含めた現在位置の検出が可能であり、３個の場合は緯度、経度のみの算出が可能である。
【００１９】
地図記憶部１８は、地図に関するデータを記憶する。
【００２０】
操作部１６により、所定の入力操作を行うことができる。
【００２１】
ＲＯＭ２０には、各部の制御を実行するためのプログラムが記憶されている。
【００２２】
ＲＡＭ２２には、環境状態に変化が生じたときにはその変化に応じてインジケータの表示状態を変化させるとともに、インジケータを表示部１２の略中央の位置に移動させ、かつインジケータの大きさを環境状態に変化が生じる前のインジケータの大きさよりも大きくするためのプログラムが記憶されている。また、ＲＡＭ２２には、インジケータが表示部１２の略中央の位置に大きく表示されている状態で、ユーザーがそのインジケータに接触すると、そのインジケータを表示部１２の隅側に移動させ、かつ小さく表示させるためのプログラムが記憶されている。
【００２３】
制御部２４は、ＲＯＭ２０、ＲＡＭ２２及び地図記憶部１８にそれぞれ記憶されたプログラム及びデータに基づいて各部を制御する。具体的に、制御部２４は、環境状態に変化が生じたときにはその変化に応じてインジケータの表示状態を変化させるとともに、インジケータを表示部１２の略中央の位置に移動させ、かつインジケータの大きさを環境状態に変化が生じる前のインジケータの大きさよりも大きくするように制御する。また、制御部２４は、インジケータが表示部１２の略中央の位置に大きく表示されている状態で、ユーザーがそのインジケータに接触すると、そのインジケータを表示部１２の隅側に移動させ、かつ小さく表示させるように制御する。
【００２４】
次に、本実施形態に係るナビゲーション装置１０の作用を図２に示すフローチャートに基づいて説明する。
【００２５】
図２に示すように、環境状態に変化があるか否かが制御部２４により判断される（Ｓ１０）。環境状態に変化があるか否かの判定は、例えば、ＧＰＳ受信表示マークの場合、現在位置の算出に用いたＧＰＳ衛星の数が変わったか否かで判断できる。環境状態に変化があると制御部２４により判断されると（Ｓ１０：ＹＥＳ）、表示部１２に表示されたインジケータの表示状態が環境状態の変化に応じて制御部２４により変化されるとともに、表示部１２の隅側に小さく表示されていたインジケータが制御部２４により表示部１２の略中央の位置に移動され、かつ、インジケータが環境状態に変化が生じる前のインジケータよりも大きく表示される（Ｓ２０）。次に、表示部１２の略中央の位置に大きく表示されたインジケータにユーザーが接触したか否かが制御部２４により判断される（Ｓ３０）。表示部１２の略中央の位置に大きく表示されたインジケータにユーザーが接触したと制御部２４により判断されると（Ｓ３０：ＹＥＳ）、表示部１２の略中央の位置に大きく表示されたインジケータが制御部２４により表示部１２の隅側に移動され、かつ環境状態に変化が生じる前のインジケータの大きさと同様に小さく表示される（Ｓ４０）。
【００２６】
以上のように、本実施形態のナビゲーション装置１０によれば、環境状態に変化が生じたときには、制御部２４によりインジケータの表示状態が変化されるとともに、インジケータの位置が表示部１２の略中央の位置に移動され、かつ環境状態に変化が生じる前のインジケータの大きさよりも大きく表示される。これにより、ユーザーにインジケータを容易に確認させることができ、環境状態の変化を知らせることができる。
【００２７】
また、表示部１２の略中央の位置に大きく表示されたインジケータにユーザーが接触すると、制御部２４によりそのインジケータが表示部１２の隅側に移動され、小さく表示される。これにより、ユーザーは、インジケータの確認後、表示部１２に触れるだけで、地図に関する画像情報を表示部１２に大きく表示させることができる。
【図面の簡単な説明】
【００２８】
【図１】本発明の一実施形態に係るナビゲーション装置のブロック図である。
【図２】本発明の一実施形態に係るナビゲーション装置の制御方法を示すフローチャートである。
【符号の説明】
【００２９】
１０      ナビゲーション装置
１２      表示部
２４      制御部
【図１】
2007085985.tif 000003
【図２】
2007085985.tif 000004